(57)【特許請求の範囲】
【請求項１】
レーザ光を照射することで記録情報を記録するための第１記録層及び第２記録層を前記レーザ光の照射側から順に備える情報記録媒体に前記記録情報を記録する情報記録装置であって、
前記レーザ光を照射することで前記第１記録層及び前記第２記録層の少なくとも一方に前記記録情報を記録する記録手段と、
前記第１記録層の第Ｎ１トラックから第Ｎ２トラック（但し、Ｎ１＜Ｎ２）までの記録領域に前記記録情報を記録するように前記記録手段を制御する第１制御手段と、
前記第１制御手段の制御後に、前記第１記録層と前記第２記録層とのズレを示す偏心を含むマージンをαトラック分とすると、前記第２記録層の第Ｎ１＋αトラックから第Ｎ２−αトラックまでの記録領域に前記記録情報を記録するように前記記録手段を制御する第２制御手段と、
前記第２制御手段の制御後に、前記第１記録層の第Ｎ２トラックから第Ｎ３トラック（但し、Ｎ２＜Ｎ３）までの記録領域に前記記録情報を記録するように前記記録手段を制御する第３制御手段と、
前記第３制御手段の制御後に、前記第２記録層の第Ｎ２−αトラックから第Ｎ３−αトラックまでの記録領域に前記記録情報を記録するように前記記録手段を制御する第４制御手段と
を備えることを特徴とする情報記録装置。
【請求項２】
前記偏心を検出する偏心検出手段と、
前記検出された偏心の大きさに基づいて前記マージンを算出する算出手段と
を更に備えることを特徴とする請求項１に記載の情報記録装置。
【請求項３】
レーザ光を照射することで記録情報を記録するための第１記録層及び第２記録層を前記レーザ光の照射側から順に備える情報記録媒体に前記記録情報を記録可能な記録手段を備える情報記録装置の情報記録方法であって、
前記レーザ光を照射することで前記第１記録層及び前記第２記録層の少なくとも一方に前記記録情報を記録する記録工程と、
前記第１記録層の第Ｎ１トラックから第Ｎ２トラック（但し、Ｎ１＜Ｎ２）までの記録領域に前記記録情報を記録するように前記記録手段を制御する第１制御工程と、
前記第１制御工程の制御後に、前記第１記録層と前記第２記録層とのズレを示す偏心を含むマージンをαトラック分とすると、前記第２記録層の第Ｎ１＋αトラックから第Ｎ２−αトラックまでの記録領域に前記記録情報を記録するように前記記録手段を制御する第２制御工程と、
前記第２制御工程の制御後に、前記第１記録層の第Ｎ２トラックから第Ｎ３トラック（但し、Ｎ２＜Ｎ３）までの記録領域に前記記録情報を記録するように前記記録手段を制御する第３制御工程と、
前記第３制御工程の制御後に、前記第２記録層の第Ｎ２−αトラックから第Ｎ３−αトラックまでの記録領域に前記記録情報を記録するように前記記録手段を制御する第４制御工程と
を備えることを特徴とする情報記録方法。
【請求項４】
前記偏心を検出する偏心検出工程と、
前記検出された偏心の大きさに基づいて前記マージンを算出する算出工程と
を更に備えることを特徴とする請求項３に記載の情報記録方法。
【発明の詳細な説明】
【技術分野】
【０００１】
本発明は、例えばＤＶＤレコーダ等の情報記録装置及び方法、並びにコンピュータをこのような情報記録装置として機能させるコンピュータプログラムの技術分野に属する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、同一基板上に複数の記録層が積層されてなる多層型若しくはダブルレイヤ又はマルチプルレイヤ型の光ディスク等も開発されている。より具体的には、２層型の光ディスクは、一層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。二層目として、該半透過反射膜の奥側に接着層等の中間層を介して位置する第２記録層（本願では適宜「Ｌ１層」と称する）を有しており、更にその奥側に位置する反射膜を有する。そして、このような多層型の情報記録媒体を作成する際には、Ｌ０層とＬ１層とを別々に形成し、最後に夫々の層を貼り合わせることで、低コストに二層型の光ディスクを製造することができる。【０００３】
そして、このような２層型の光ディスクを記録する、ＣＤレコーダ等の情報記録装置では、Ｌ０層に対して記録用のレーザ光を集光（或いは、照射）することで、Ｌ０層に対して情報を加熱などによる非可逆変化記録加熱などによる非可逆変化記録方式や書換え可能方式で記録し、Ｌ１層に対して該レーザ光を集光することで、Ｌ１層に対して情報を加熱などによる非可逆変化記録加熱などによる非可逆変化記録方式や書換え可能方式で記録することになる。【０００４】
【特許文献１】特開２０００−３１１３４６号公報
【発明の開示】
【発明が解決しようとする課題】
【０００５】
このような２層型の光ディスクにおいては、Ｌ１層にデータを記録する場合には、Ｌ０層を介してレーザ光を照射する必要がある。そしてこの場合、レーザ光を介するＬ０層にはデータが記録されていることもあるし、或いはデータが記録されていないことがある。このようにＬ０層の記録状態は必ずしも統一されておらず、それによってＬ１層に照射されるレーザ光の状態が変化してしまう。このため、Ｌ０層の記録状態によっては、Ｌ１層に適切にデータを記録することができないという技術的な問題点を有している。  特に、２層型の光ディスクにおいては、Ｌ０層とＬ１層とが偏心によりずれている可能性がある。この偏心によるズレに起因して、Ｌ０層の一のトラックにデータが記録済であっても、一のトラックと同一のトラック番号を有するＬ１層の他のトラックにデータを記録する際に、必ずＬ０層の一のトラックを介してレーザ光が照射されるとは限らないという技術的な問題点を有している。【０００６】
本発明は、例えば上述した従来の問題点に鑑みなされたものであり、例えば複数の記録層を有する情報記録媒体であっても、適切に情報の記録を行なうことを可能とならしめる情報記録媒体、情報記録装置及び方法、並びにコンピュータをこのような情報記録装置として機能させるコンピュータプログラムを提供することを課題とする。
【課題を解決するための手段】
【０００７】
（情報記録装置）
本発明の情報記録装置は上記課題を解決するために、レーザ光を照射することで記録情報を記録するための第１記録層及び第２記録層を備える情報記録媒体に前記記録情報を記録する情報記録装置であって、前記レーザ光を照射することで前記第１記録層及び前記第２記録層の少なくとも一方に前記記録情報を記録する記録手段と、前記第２記録層に前記記録情報を記録する場合に、前記記録情報が記録された前記第１記録層の記録領域に対応する前記第２記録層の対象領域の少なくとも一部において、当該対象領域の端部分を除く対象領域部分に前記記録情報を記録するように前記記録手段を制御する制御手段とを備える。【０００８】
本発明の情報記録装置によれば、上述した本発明の情報記録媒体と同様に、比較的容易に、複数の記録層を有する情報記録媒体について夫々の記録層の最適記録パワーを算出することが可能となる。【０００９】
本発明では、制御手段の動作により、記録情報が記録された第１記録層の記録領域に対応する第２記録層の対象領域に記録情報を記録することができる。このため、例えばレーザ光を照射する側から見て第１記録層より奥側に（或いは、遠い側）に位置する第２記録層に記録情報を記録する場合には、記録情報が記録された第１記録層を介してレーザ光を照射することになる。言い換えれば、記録情報が未記録の第１記録層を介してレーザ光を照射することで第２記録層に記録情報を記録する必要が殆ど或いは全くない。或いは、例えばレーザ光を照射する側から見て第１記録層より手前側に（或いは、近い側）に位置する第２記録層に記録情報を記録する場合には、記録情報が記録された第１記録層に対応する第２記録層にレーザ光を照射することになる。言い換えれば、記録情報が未記録の第１記録層に対応する第２記録層にレーザ光を照射することで第２記録層に記録情報を記録する必要が殆ど或いは全くない。従って、照射されるレーザ光の条件を変更することなく、第２記録層の概ね全面に渡って適切に記録情報を記録することが可能となる。このため、第２記録層の概ね全面に渡って良好な記録特性を得ることができる。もちろん、第２記録層の記録状態に係わらず、第１記録層の概ね全面に渡って適切に記録情報を記録できることは言うまでもない。【００１０】
仮にこのような制御手段を備えていなければ、第１記録層に記録情報が記録されているか或いはいないかに係わらず、第２記録層に記録情報を記録することになる。従って、仮に同一のレーザ光で記録を行なうとすれば、第１記録層の記録状態に起因して第２記録層に記録される記録情報の記録特性にバラツキが生じ好ましくない。他方、良好な記録特性を確保するためには、第１記録層の記録状態に応じてレーザ光の条件を変える必要があり、処理コストが増大するため好ましくない。しかるに、本発明によれば、このような不都合を排除することができるという点で大きな利点を有している。【００１１】
以上の結果、本発明の情報記録装置によれば、第２記録層に記録情報を記録する場合には、記録情報が記録された第１記録層に対応する第２記録層にレーザ光を照射することが可能となる。このため、第２記録層の概ね全面に渡って適切に記録情報を記録することができる。【００１２】
本発明の情報記録装置の一の態様では、前記制御手段は、前記対象領域の端部分を除く対象領域部分に前記記録情報を記録するように前記記録手段を制御する。【００１３】
この態様によれば、記録情報が記録された第１記録層の記録領域より一回り程度小さな記録領域たる対象領域部分に記録情報を記録することができる。このため、仮に第１記録層と第２記録層とが適切に対応していない（例えば偏心等が生じている）場合であっても、一回り小さな記録領域たる対象領域部分においては、記録情報が記録された第１記録層を介してレーザ光を照射することができる。これは、第１記録層と第２記録層との間に位置的な誤差が生じていたとしても、或いは夫々の記録層において同一アドレス又は同一トラックとなる記録領域が適切に対応しておらず位置的な誤差が生じていたとしても、端部分を除くことで係る誤差の影響を排除することができるためである。【００１４】
上述の如く対象領域部分に記録情報を記録する情報記録装置の態様では、前記第１記録層と前記第２記録層との夫々における前記記録情報を記録する方向が相反する方向であって、且つ前記第１記録層を記録した後に前記第２記録層を記録する場合において、前記制御手段は、前記第１記録層に前記記録情報を記録した後、前記少なくとも一部の端部分に相当する大きさだけ前記レーザ光を照射する位置を戻してから前記第２記録層へ前記レーザ光のフォーカスを合わせ、前記第２記録層の最初にアドレス検出した記録領域から前記記録情報の記録を開始するように前記記録手段を制御するように構成してもよい。【００１５】
このように構成すれば、制御手段の動作により、少なくとも一部の端部分を記録対象から除くために、当該一部の端部分の大きさに相当する記録領域だけレーザ光を照射する位置を戻す。具体的には、第１記録層における記録情報の記録方向と反対側へレーザ光の照射位置を移動させる。その後、第２記録層へレーザ光のフォーカスを合わせるべく、第１記録層から第２記録層へのレーザ光のフォーカス遷移（即ち、層間ジャンプ）を行うことで、上述の如く記録情報が記録された第１記録層に対応する第２記録層にレーザ光を照射することが可能となる。これにより、上述した各種利益を享受することが可能となる。【００１６】
上述の如く対象領域部分に記録情報を記録する情報記録装置の態様では、前記第１記録層と前記第２記録層との夫々における前記記録情報を記録する方向が相反する方向であって、且つ前記第１記録層を記録した後に前記第２記録層を記録する場合において、前記制御手段は、前記第１記録層に前記記録情報を記録した後、前記第２記録層へ前記レーザ光のフォーカスを合わせてから前記少なくとも一部の端部分に相当する大きさだけ前記レーザ光を照射する位置を戻して、前記第２記録層の最初にアドレス検出した記録領域から前記記録情報の記録を開始するように前記記録手段を制御するように構成してもよい。【００１７】
このように構成すれば、制御手段の動作により、第２記録層へレーザ光のフォーカスを合わせるべく、第１記録層から第２記録層へのレーザ光のフォーカス遷移（即ち、層間ジャンプ）を行う。その後、少なくとも一部の端部分を記録対象から除くために、当該一部の端部分の大きさに相当する記録領域だけレーザ光を照射する位置を戻す。具体的には、第１記録層における記録情報の記録方向と反対側へレーザ光の照射位置を移動させる。これにより、上述の如く記録情報が記録された第１記録層に対応する第２記録層にレーザ光を照射することが可能となる。これにより、上述した各種利益を享受することが可能となる。【００１８】
上述の如く対象領域部分に記録情報を記録する情報記録装置の態様では、前記第１記録層と前記第２記録層とのズレを示す偏心を検出する偏心検出手段を更に備え、前記検出された偏心の大きさに相当する記録領域を前記端部分として除く前記対象領域部分に、前記記録情報を記録するように前記記録手段を制御するように構成してもよい。【００１９】
このように構成すれば、偏心が生じていても、偏心検出手段によりその偏心を検出することができる。そして、検出された偏心に基づく制御手段の動作により、偏心の影響を排除することが可能となる。その結果、対応する第１記録層に記録情報が記録された第２記録層において記録情報を適切に記録することができる。【００２０】
上述の如く対象領域部分に記録情報を記録する情報記録装置の態様では、前記制御手段は、前記第１記録層と前記第２記録層とのズレを示す偏心の大きさの最大値として予め定められた偏心最大量に相当する記録領域を前記端部分として除く前記対象領域部分に、前記記録情報を記録するように前記記録手段を制御するように構成してもよい。【００２１】
このように構成すれば、上述の如く偏心検出を行うことなく、比較的容易に偏心等の影響を排除して、対応する第１記録層に記録情報が記録された第２記録層において記録情報を適切に記録することができる。【００２２】
上述の如く偏心（或いは、偏心最大量）に相当する記録領域を除いて記録領域を記録する情報記録装置の態様では、前記第１記録層において第Ｎトラックの記録領域まで前記記録情報が記録されており、且つ前記偏心がαトラック分の大きさに跨る場合、前記制御手段は、前記第２記録層において、第Ｎ−αトラック以下の記録領域に相当する前記対象領域部分に前記記録情報を記録するように前記記録手段を制御する。【００２３】
このように構成すれば、仮にαトラック分の偏心が生じていたとしても、該偏心を考慮して第２記録層に記録情報を記録することができる。即ち、偏心の大きさに相当する大きさのマージンを設けて第２記録層に記録情報を記録する。このため、比較的容易に、記録情報が記録された第１記録層に対応する第２記録層の対象領域に、記録情報を記録することが可能となる。【００２４】
尚、偏心最大量に相当する記録領域を端部分として除く構成でも同様の構成を採ることができる。即ち、当該偏心最大量の大きさをαトラックとして扱うことで、同様の利益を享受することができる。【００２５】
上述の如く偏心（或いは、偏心最大量）に相当する記録領域を除いて記録情報を記録する情報記録装置の態様では、前記第１記録層において第ｎトラックの記録領域未満に前記記録情報が記録されておらず、且つ前記偏心がαトラック分の大きさに跨る場合、前記制御手段は、前記第２記録層において、第ｎ＋αトラック以上の記録領域に相当する前記対象領域部分に前記記録情報を記録するように前記記録手段を制御する。【００２６】
このように構成すれば、仮にαトラック分の偏心が生じていたとしても、該偏心を考慮して第２記録層に記録情報を記録することができる。即ち、偏心の大きさに相当する大きさのマージンを設けて第２記録層に記録情報を記録する。このため、比較的容易に、記録情報が記録された第１記録層に対応する第２記録層の対象領域に、記録情報を記録することが可能となる。【００２７】
尚、偏心最大量に相当する記録領域を端部分として除く構成でも同様の構成を採ることができる。即ち、当該偏心最大量の大きさをαトラックとして扱うことで、同様の利益を享受することができる。【００２８】
本発明の情報記録装置の他の態様では、前記情報記録媒体には、予め前記対象領域部分の少なくとも一部を示す領域管理情報が記録されており、前記制御手段は、前記領域管理情報を読み取ることで、前記対象領域に前記記録情報を記録するように前記記録手段を制御する。【００２９】
この態様によれば、例えば制御手段が、例えば予め第２記録層の記録可能な領域を示すような領域管理情報を参照することで、比較的容易に第２記録層の対象領域（或いは、対象領域部分）に記録情報を記録することが可能となる。【００３０】
（情報記録方法）
本発明の情報記録方法は上記課題を解決するために、レーザ光を照射することで記録情報を記録するための第１記録層及び第２記録層を備える情報記録媒体に前記記録情報を記録可能な記録手段を備える情報記録装置の情報記録方法であって、前記レーザ光を照射することで前記第１記録層及び前記第２記録層の少なくとも一方に前記記録情報を記録する記録工程と、前記第２記録層に前記記録情報を記録する場合に、前記記録情報が記録された前記第１記録層の記録領域に対応する前記第２記録層の対象領域に前記記録情報を記録するように前記記録手段を制御する制御工程とを備える。【００３１】
本発明の情報記録方法によれば、上述した本発明の情報記録装置と同様の各種利益を享受することができる。【００３２】
尚、上述した本発明の情報記録装置における各種態様に対応して、本発明に係る情報記録方法も各種態様を採ることが可能である。【００３３】
本発明の情報記録方法の一の態様では、前記制御工程において、前記対象領域の端部分を除く対象領域部分に前記記録情報を記録するように前記記録手段を制御する。【００３４】
この態様によれば、仮に第１記録層と第２記録層とが適切に対応していない場合であっても、一回り小さな記録領域たる対象領域部分においては、記録情報が記録された第１記録層を介してレーザ光を照射することができる。【００３５】
上述の如く対象領域部分に記録情報を記録する情報記録方法の態様では、前記第１記録層と前記第２記録層とのズレを示す偏心を検出する偏心検出工程を更に備え、前記検出された偏心の大きさに相当する記録領域を前記端部分として除く前記対象領域部分に、前記記録情報を記録するように前記記録手段を制御する。【００３６】
この態様によれば、偏心が生じていても、偏心検出工程において、その偏心を検出することができる。そして、検出された偏心に基づく制御工程の動作により、偏心の影響を排除することが可能となる。その結果、対応する第１記録層に記録情報が記録された第２記録層において記録情報を適切に記録することができる。【００３７】
上述の如く対象領域部分に記録情報を記録する情報記録方法の態様では、前記制御工程において、前記第１記録層と前記第２記録層とのズレを示す偏心の大きさとして予め定められた偏心最大量に相当する記録領域を前記端部分として除く前記対象領域部分に、前記記録情報を記録するように前記記録手段を制御するように構成してもよい。【００３８】
このように構成すれば、上述の如く偏心検出を行うことなく、比較的容易に偏心等の影響を排除して、対応する第１記録層に記録情報が記録された第２記録層において記録情報を適切に記録することができる。【００３９】
（コンピュータプログラム）
本発明のコンピュータプログラムは上記課題を解決するために、上述した本発明の情報記録装置（但し、その各種態様を含む）に備えられたコンピュータを制御する記録制御用のコンピュータプログラムであって、該コンピュータを、前記記録手段及び前記制御手段の少なくとも一方として機能させる。【００４０】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００４１】
尚、上述した本発明の情報記録装置における各種態様に対応して、本発明のコンピュータプログラムも各種態様を採ることが可能である。【００４２】
コンピュータ読取可能な媒体内のコンピュータプログラム製品は上記課題を解決するために、本発明の情報記録装置（但し、その各種態様を含む）に備えられたコンピュータにより実行可能なプログラム命令を明白に具現化し、該コンピュータを、前記記録手段及び前記制御手段の少なくとも一方として機能させる。【００４３】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記記録手段及び前記制御手段の少なくとも一方を比較的容易に実施可能となる。更に具体的には、当該コンピュータプログラム製品は、上述した本発明の前記記録手段及び前記制御手段の少なくとも一方として機能させるコンピュータ読取可能なコード（或いはコンピュータ読取可能な命令）から構成されてよい。【００４４】
（情報記録媒体）
本発明の情報記録媒体は上記課題を解決するために、レーザ光を照射することで記録情報を記録するための第１記録層及び第２記録層とを備えており、前記第１記録層及び前記第２記録層の少なくとも一方は、前記記録情報が記録され得る前記第１記録層の記録領域に対応する前記第２記録層の対象領域の少なくとも一部を示す領域管理情報を記録するための管理情報エリアを備える。【００４５】
本発明の情報記録媒体によれば、複数の記録層（即ち、第１記録層及び第２記録層）の夫々において各種記録情報を記録することが可能である。係る複数の記録層は、例えば基板の一方の面上に積層構造に形成されていてもよい。【００４６】
本発明では特に、対象領域の少なくとも一部を示す領域管理情報が記録されている。従って、上述した情報記録装置がこの領域管理情報を参照すれば、比較的容易にデータが記録された第１記録層を介して照射されたレーザ光により、第２記録層に記録情報を記録することが可能となる。従って、上述した本発明に係る情報記録装置が有する各種利益を享受することが可能となる。【００４７】
本発明のこのような作用及び他の利得は次に説明する実施例から明らかにされる。【００４８】
以上説明したように、本発明の情報記録装置及び方法は、記録手段及び制御手段、又は記録工程及び制御工程を備える。従って、第２記録層の概ね全面に渡って適切に記録情報を記録することができる。【００４９】
また、本発明の情報記録装置は、記録手段及び制御手段、又は記録工程及び制御工程を備える。従って、第２記録層に記録情報を記録する場合には、記録情報が記録された第１記録層を介してレーザ光を照射することが可能となる。このため、第２記録層の概ね全面に渡って適切に記録情報を記録することができる。
【図面の簡単な説明】
【００５０】
【図１】本発明の情報記録媒体の実施例に係る複数の記録領域を有する光ディスクの基本構造を示した概略平面図であり、該光ディスクの概略断面図と、これに対応付けられた、その半径方向における記録領域構造の図式的概念図である。
【図２】本発明の情報記録装置に係る実施例の基本構成を概念的に示すブロック図である。
【図３】本実施例に係る情報記録装置の動作により、光ディスクにデータが記録される一の態様を概念的に示すデータ構造図である。
【図４】本実施例における光ディスクの偏心の態様を概念的に示す平面図であり
【図５】本実施例に係る情報記録装置の動作により、光ディスクにデータが記録される態様を概念的に示す平面図である。
【図６】本実施例に係る情報記録装置の動作により、エリアの境界において記録されるデータ構造の一の具体例を概念的に示すデータ構造図である
【図７】本実施例に係る情報記録装置の動作により、エリアの境界において記録されるデータ構造の他の具体例を概念的に示すデータ構造図である
【図８】本実施例に係る情報記録装置の動作により、ボーダーゾーンを用いてデータを追記する態様における光ディスクの一のデータ構造を概念的に示すデータ構造図である。
【図９】本実施例に係る情報記録装置の動作により、ボーダーゾーンを用いてデータを追記する態様における光ディスクの他のデータ構造を概念的に示すデータ構造図である。
【図１０】本実施例に係る情報記録装置の動作により、ボーダーゾーンを用いてデータを追記する態様における光ディスクの他のデータ構造を概念的に示すデータ構造図である。
【図１１】本実施例に係る情報記録装置により作成されるボーダーインエリア及びボーダーアウトエリアのデータ構造をより詳細に説明するデータ構造図である。
【図１２】本実施例に係る情報記録装置の動作により、光ディスクにデータが記録される他の態様を概念的に示すデータ構造図である。
【図１３】本実施例に係る情報記録装置の動作により、ボーダーゾーンを用いてデータを追記する態様における光ディスクの他のデータ構造を概念的に示すデータ構造図である。
【図１４】本実施例に係る情報記録装置の動作により、ボーダーゾーンを用いてデータを追記する態様における光ディスクの他のデータ構造を概念的に示すデータ構造図である。
【符号の説明】
【００５１】
１００  光ディスク
１０２、１１２  リードインエリア
１０４、１１４  ボーダーインエリア
１０５、１１５  データ記録エリア
１０６、１１６  層間緩衝エリア
１０７、１１７  ボーダーアウトエリア
１０８、１１８  リードアウトエリア
１０９、１１９  ミドルエリア
１２０  プリ記録データ
３００  情報記録装置
３５２  光ピックアップ
３５４  ＣＰＵ
３５５  メモリ
３５９  偏心検出器
α  偏心
【発明を実施するための最良の形態】
【００５２】
以下、本発明を実施するための最良の形態について実施例毎に順に図面に基づいて説明する。  以下、本発明の実施例を図面に基づいて説明する。【００５３】
（情報記録媒体の実施例）
先ず、図１を参照して、本発明の情報記録媒体に係る実施例について説明を進める。【００５４】
先ず図１を参照して、本発明の情報記録媒体の実施例に係る光ディスクの基本構造について説明する。ここに、図１（ａ）は、本発明の情報記録媒体の実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００５５】
図１（ａ）及び図１（ｂ）に示されるように、光ディスク１００は、例えば、ＤＶＤと同じく直径１２ｃｍ程度のディスク本体上の記録面に、センターホール１０１を中心として本実施例に係るリードインエリア１０２、データ記録エリア１０５並びにリードアウトエリア１０８又はミドルエリア１０９が設けられている。そして、光ディスク１００の例えば、透明基板２００に、記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なプリフォーマットアドレスによるデータ管理単位である。【００５６】
尚、本発明は、このような三つのエリアを有する光ディスクには特に限定されない。例えば、リードインエリア１０２、リードアウトエリア１０８又はミドルエリア１０９が存在せずとも、以下に説明するデータ構造等の構築は可能である。また、後述するように、リードインエリア１０２、リードアウト１０８又はミドルエリア１０９は更に細分化された構成であってもよい。【００５７】
特に、本実施例に係る光ディスク１００は、図１（ｂ）に示されるように、例えば、透明基板に、後述される本発明に係る第１及び第２記録層の一例を構成するＬ０層及びＬ１層が積層された構造をしている。このような２層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。【００５８】
また、本実施例に係る光ディスク１００は、本発明に置ける「領域管理情報」の一具体例たるプリ記録データ１２０が記録されていてもよい。このプリ記録データ１２０は、後述するように、Ｌ１層においてデータの記録が可能なエリア（或いは、当該エリアの一部や当該エリアの境界部分）を示す情報を含んでいる。このプリ記録データ１２０は、Ｌ１層のリードインエリア１０２或いはリードアウトエリア１０８に記録されることに限らず、Ｌ０層に記録されていてもよいし、或いはＬ０層又はＬ１層のその他のエリアに記録されるように構成してもよい。【００５９】
そして、これらのプリ記録データ１２０は、光ディスク１００上に記録ピットや記録マークとして記録されていてもよいし、エンボスピットにより記録されていてもよいし、ランドプリピット（ＬＰＰ）として記録されていてもよい。また、所定の変調が施されたウォブル（Ｗｏｂｂｌｅ）として記録されていてもよい。【００６０】
また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００６１】
尚、２層型光ディスクにおけるオポジットトラックパス方式及びパラレルトラックパス方式による記録再生手順及び各層におけるデータ構造については、後述される。【００６２】
（情報記録装置の実施例）
続いて、図２から図１４を参照して、本発明の情報記録装置に係る実施例について説明を進める。【００６３】
（１）基本構成
先ず、図２を参照して本実施例に係る情報記録装置の基本構成について説明する。ここに、図２は、本実施例に係る情報記録装置の基本構成を概念的に示すブロック図である。【００６４】
情報記録装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３５６、ＬＤドライバ３５８、偏心検出器３５９及びバス３５７により構成されている。【００６５】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【００６６】
光ピックアップ３５２は、本発明における「記録手段」の一具体例であって、光ディスク１００への記録再生を行うもので、レーザ装置とレンズから構成される。より詳細には、光ピックアップ３５２は、光ディスク１００に対してレーザ光等の光ビームを、再生時には読み取り光として第１のパワーで照射し、記録時には書き込み光として第２のパワーで且つ変調させながら照射する。【００６７】
信号記録再生手段３５３は、スピンドルモータ３５１と光ピックアップ３５２を制御することで光ディスク１００に対して記録を行う。また、光ディスク１００に記録されたデータを再生可能に構成されていてもよい。【００６８】
ＣＰＵ（ドライブ制御手段）３５４は、信号記録再生手段３５３、メモリ３５５と、バス３５７を介して接続され、各制御手段に指示を行うことで、情報記録装置３００全体の制御を行う。通常、プロセッサ３５４が動作するためのソフトウェアは、メモリ３５５に格納されている。【００６９】
メモリ３５５は、記録再生データのバッファ領域や、信号記録再生手段３５３で使用出来るデータに変換する時の中間バッファとして使用される領域などディスクドライブ３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【００７０】
データ入出力制御手段３５６は、例えば外部機器等から、光ディスク１００に記録すべきデータの入力が行なわれる。そして、データ入出力手段３５６は、入力されたデータを、バス３５７を介して信号記録再生手段３５３へ出力する。尚、光ディスク１００に記録されたデータを再生可能な場合は、データ入出力手段３５６は、液晶ディスプレイ等の外部出力機器へ再生されたデータを出力可能に構成されてもよい。【００７１】
ＬＤドライバ３５８は、光ピックアップ３５２のレーザダイオード等を所定の周波数で発振させることで、該光ピックアップ３５２から照射されるレーザ光を制御する。【００７２】
偏心検出器３５９は、２層型の光ディスク１００の偏心を検出可能に構成されている。例えば、光ディスク１００が、Ｌ０層とＬ１層とを貼り合わせることで製造されていれば、Ｌ０層の中心とＬ１層の中心との貼り合わせ誤差を検出可能に構成されている。或いは、例えば光ディスク１００の反り返りにより生ずる偏心や光ディスク１００の回転中心軸のズレによる偏心を検出可能に構成されていてもよい。そして、以降の説明において現れる「偏心」とは、特記しない限り、本発明における「偏心」と同様に、これらの偏心をも含めて光ディスク１００全体に生ずる偏心を意味するものである。【００７３】
尚、図２を参照して説明した本実施例に係る情報記録装置３００は、情報記録再生装置の実施例も兼ねる。即ち、信号記録再生手段（例えば、ヘッドアンプやＲＦ検出器等）を介して、記録情報を再生可能であり、本実施例は、情報再生装置の機能或いは情報記録再生装置の機能を含む。【００７４】
（２）第１動作例
続いて、図３を参照して、本実施例に係る情報記録装置３００による記録動作の第１の態様について説明する。ここに、図３は、本実施例に係る情報記録装置３００により光ディスク１００にデータが記録される態様を概念的に示すデータ構造図である。尚、第１動作例では、パラレルトラックパス方式の光ディスクにデータを記録する態様について説明する。【００７５】
図３に示すように、本実施例に係る情報記録装置３００の動作により、まずＬ０層の所望の記録領域にデータが記録される。即ち、図３中の（１）と示されている記録領域であるデータ記録エリア１０５ａにデータが記録される。【００７６】
その後、Ｌ１層にデータが記録される場合には、データが記録済であるＬ０層の記録領域に対応するＬ１層の記録領域にデータが記録される。より具体的に説明すると、Ｌ０層において、第Ｎ１トラックから第Ｎ２トラックまでのデータ記録エリア１０５ａにデータが記録されているとする。そして、光ディスク１００の偏心がαであるとする。このとき、Ｌ１層においては、ＣＰＵ３５４の制御の下に、第Ｎ１＋αトラックから第Ｎ２−αトラックまでの記録領域にデータが記録される。即ち、図３中の（２）と示されている記録領域であるデータ記録エリア１１５ａにデータが記録される。【００７７】
このように偏心αの大きさに相当する大きさのマージン（即ち、本発明における「端部分」の一具体例）をとるのは以下のような理由からである。即ち、Ｌ０層とＬ１層との間に偏心が発生している場合には、夫々の記録層の同一トラック番号を有する記録領域が光ピックアップ３５２から見て必ずしも対応するとは限らない。従って、データが記録済であるＬ０層の一のトラックと同一のトラック番号を有するＬ１層の他のトラックにデータを記録する場合、必ずしも一のトラックを介してレーザ光が照射されるとは限らない。従って、偏心αの大きさに相当するマージンを採ることで、このような事態を防いでいるのである。要は、データが記録されたＬ０層に対応するＬ１層の記録領域にデータが記録されるような状態をより確実に確保するための一つの具体的手法と言える。【００７８】
このように、偏心αの大きさだけマージンをとってＬ１層にデータを記録すれば、データが記録済のＬ０層に対応するＬ１層に適切にデータを記録することができる。即ち、データが記録済のＬ０層を介して照射されたレーザ光により、Ｌ１層にデータを記録することができる。【００７９】
この偏心αの大きさとして、具体的に偏心検出器３５９の動作により検出するように構成してもよい。また、偏心検出器３５９の動作によらずとも、許容最大偏心量を擬似的に偏心αとしてもよい。例えば、光ディスク１００の一具体例たるＤＶＤにおいては、この許容最大偏心量は、規格により最大７０μｍと規定されている。従って、α＝７０μｍとして定まるＬ１層の記録領域にデータを記録するように構成してもよい。或いは、当該偏心量に所定のマージンに相当する大きさを加えてもよい。例えば、Ｌ０層からＬ１層へ層間ジャンプする場合には、スピンドルモータ３５１等の精度によっては、必ずしも対応する位置へジャンプできるとは限らない。従って、この層間ジャンプによる精度誤差をマージンとしてもよい。【００８０】
その後、再びＬ０層にデータが記録される場合には、先に記録したデータ（即ち、データ記録エリア１０５ａに記録されているデータ）に引き続いてデータが記録される。具体的には、第Ｎ２トラックから第Ｎ３トラックまでのデータ記録エリア１０５ｂにデータが記録される。【００８１】
続いて、Ｌ１層にデータが記録される場合には、先に記録したデータ（即ち、データ記録エリア１１５ａに記録されているデータ）に引き続いてデータがデータ記録エリア１１５に記録される。このとき、データ記録エリア１１５の外周側において偏心αに相当するマージンを確保する必要がある。他方、内周側においては、Ｌ０層にはデータ記録エリア１０５ａ及び１０５ｂにデータが記録されているため、データ記録エリア１１５ａに続けて連続的にデータを記録できる。具体的には、第Ｎ２−αトラックから第Ｎ３−αトラックまでのデータ記録エリア１１５ｂにデータが記録される。【００８２】
そして、最後にリードインエリア１０２及び１１２、並びにリードアウトエリア１０８及び１１８に、データの記録或いは再生を制御するための所定の制御情報等が記録される。この場合も、Ｌ０層のリードインエリア１０２に制御情報等を記録した後に、制御情報等が記録されたＬ０層に対応するＬ１層のリードインエリア１１２に制御情報等を記録する。また、Ｌ０層のリードアウトエリア１０８に制御情報等を記録した後に、制御情報等が記録されたＬ０層に対応するＬ１層のリードアウトエリア１１８に制御情報等を記録する。【００８３】
尚、リードインエリア１０２（特に、データ記録エリア１０５ａとの境界付近）に予め制御情報等が記録されている光ディスクであれば、Ｌ１層のデータ記録エリア１１５ａにおいて、偏心αを考慮することなく、第Ｎ１トラックからデータを記録するように構成してもよい。また、リードアウトエリア１０８（特に、データ記録エリア１０５ｂとの境界付近）に制御情報等が予め記録されている光ディスクであれば、Ｌ１層のデータ記録エリア１１５ｂにおいて、偏心αを考慮することなく、第Ｎ３トラックまでデータを記録するように構成してもよい。【００８４】
ここで、光ディスク１００の偏心及び偏心がある場合のデータの記録の態様について、図４及び図５を参照してより詳細に説明する。ここに、図４は、光ディスク１００の偏心の態様を概念的に示す平面図であり、図５は、本実施例に係る情報記録装置３００により光ディスク１００にデータが記録される態様を概念的に示す平面図である。【００８５】
図４に示すように、光ディスク１００に貼りあわせ誤差による偏心が生じている場合、Ｌ０層におけるトラックＮとＬ１層におけるトラックＮとは夫々の中心が、偏心αに相当する大きさだけずれて形成されている。そして、Ｌ０層とＬ１層との夫々において物理アドレス値が同一の地点は、０から偏心αのいずれかの値に相当する大きさだけずれている。例えば、図４に示すように、Ｌ０層において物理アドレス値がＡの記録領域（即ち、図中黒丸の地点）とＬ１層において物理アドレス値がＡの記録領域（即ち、図中白丸の地点）とは偏心αに相当する大きさだけずれて形成されている。【００８６】
仮に偏心がなければ、Ｌ０層におけるトラックＮとＬ１層におけるトラックＮとは、光ピックアップ３５２（或いは、光ピックアップ３５２から照射されるレーザ光）から見て、奥行方向の位置を除いては同一の位置にある。更に、仮に偏心がなければ、Ｌ０層とＬ１層との夫々において物理アドレス値が同一の地点は、光ピックアップ３５２（或いは、光ピックアップ３５２から照射されるレーザ光）から見て、同一の位置にある。【００８７】
このように偏心が生じているとき、図５（ａ）に示すように、Ｌ０層において、内周側より第Ｎトラックの記録領域までデータが記録されているとすると、Ｌ１層においては、内周側より第Ｎ―αトラックまでの記録領域のデータを記録する。即ち、図５（ａ）中の網掛けにて示されている記録領域にデータを記録する。このとき、網掛けにて示す記録領域は、Ｌ０層における第Ｎトラックよりも外周側へ超えることはなくなる。【００８８】
また、図５（ｂ）に示すように、Ｌ０層において、第Ｎトラックから外周側へデータが記録されている場合（即ち、第Ｎトラックより内周側にデータが記録されていない場合）には、Ｌ１層においては、第Ｎ＋αトラックより外周側へデータを記録する。即ち、図５（ｂ）中の網掛けにて示されている記録領域にデータを記録する。このときも、網掛けにて示す記録領域は、Ｌ０層における第Ｎトラックよりも内周側へ超えることはなくなる。【００８９】
このようにＬ１層にデータを記録することで、この網掛けにて示されている記録領域に対応するＬ０層には、必ずデータが記録されていることとなる。即ち、データが記録済のＬ０層を介して照射されるレーザ光によりＬ１層にデータを記録することが可能となる。【００９０】
一般に、２層型の光ディスクにおいては、データが記録済であるＬ０層を介して照射されるレーザ光によりＬ１層にデータを記録する場合と、データが未記録であるＬ０層を介して照射されるレーザ光によりＬ１層にデータを記録する場合とでは、Ｌ１層に記録されたデータの品質が異なることが知られている。即ち、この２つの場合の夫々において、同一の条件で照射されたレーザ光によりデータを記録する場合、いずれか一方は良好な記録特性を得られたとしても、いずれか他方においては必ずしも良好な記録特性が得られるとは限らないという技術的な問題点を有している。【００９１】
しかるに本実施例に係る情報記録装置３００によれば、データが記録済のＬ０層を介して照射されるレーザ光によりＬ１層にデータを記録することができる。このため、上述した技術的な問題点を解消することができる。その結果、データが記録済のＬ０層を介してＬ１層にデータを記録する場合における最適な記録レーザパワーにて、Ｌ１層のいずれの記録領域にも適切な記録を行なうことができる。特に、特別に記録レーザパワーを切り替える必要もなく、トラック番号に応じてデータを記録していけばよいため、記録動作自体も簡略化されるという利点も有する。加えて、この記録されたデータを再生する場合にも、良好な再生特性（例えば、アシンメトリ値、ジッタ値、変調度や再生エラーレート等）を得ることができる。【００９２】
もちろん、必ずしもＬ１層の第Ｎ−αトラック以下のトラックに（或いは、第Ｎ＋αトラック以上のトラックに）データを記録しなくとも、データが記録済のＬ０層に対応するＬ１層にデータを記録するように構成すれば、第Ｎ−αトラック以上のトラックにも（或いは、第Ｎ＋αトラック以下のトラックにも）データを記録してもよい。言い換えれば、データが記録済であるＬ０層を介して照射されるレーザ光により、Ｌ１層にデータを記録できれば、上述の如くトラック番号に関係なくデータを記録してもよい。但し、上述の如くトラック番号と偏心αに基づいてデータを記録すれば、記録動作の簡略化或いは迅速化を図ることができるという大きな利点を有している。【００９３】
尚、図１において述べたように、Ｌ１層において記録可能な記録領域（例えば、図３における第Ｎ１＋αトラックから第Ｎ２−αトラックまでの記録領域）を示すプリ記録データ１２０が光ディスク１００に記録されていてもよい。このとき、情報記録装置３００は、プリ記録データ１２０を参照して、Ｌ１層にデータを記録するように構成してもよい。特に、リードインエリア１０２を作成するための記録領域が予め定まっていれば、Ｌ１層において記録可能な記録領域の少なくとも一方の端部の位置（即ち、第Ｎ１＋αトラック）は特定できる。また、リードアウトエリア１０８を作成するための記録領域が予め定まっていても、Ｌ１層において記録可能な記録領域の少なくとも一方の端部の位置は特定できる。従って、このように予め記録されたプリ記録データ１２０を参照すれば、比較的容易にＬ１層にデータを記録することができるという利点を有する。【００９４】
このプリ記録データ１２０は、例えばＬ１層においてデータの記録が可能な記録領域のアドレスを示すアドレス情報が含まれていてもよい。或いは、逆にＬ１層においてデータの記録が不可能な記録領域のアドレスを示すアドレス情報が含まれていてもよい。或いは、予めリードインエリア１０８（１１８）に制御情報等をプリ記録したり、或いは予めリードインエリア１０２（１１２）に制御情報等をプリ記録しておけば、その記録領域はデータ記録エリア１０５（１１５）として使用することができない。言い換えれば、予めＬ１層のリードインエリア１０２等を記録しておくことで、間接的にＬ１層において記録可能な或いは記録不可能な記録領域を示すように構成してもよい。従って、このように間接的に記録可能な位置を示す各種データ（即ち、予めリードインエリアやリードアウトエリアに記録される各種制御情報等）も、プリ記録データ１２０の一具体例となる。また、後述するミドルエリアやボーダーインエリアやボーダーアウトエリアについても同様のことが言える。【００９５】
また、情報記録装置３００のメモリ３５５等にプリ記録データ１２０が記録されていてもよいし、或いは有線や無線等のネットワークを介して該プリ記録データ１２０を取得するように構成してもよい。【００９６】
ここで、データの境界について、図６及び図７を参照して説明する。即ち、例えば図３におけるデータ記録エリア１０５ａとデータ記録エリア１０５ｂとの境界におけるデータの記録態様について説明する。ここに、図６及び図７は、エリアの境界におけるデータの記録態様を概念的に示すデータ構造図である。【００９７】
内周側よりデータを記録した後、外周側へデータを追記する場合には、図６に示すようなリンクデータを記録する。これは、例えばデータ記録エリア１０５ａにデータを記録した後に、より外周側のデータ記録エリア１０５ｂにデータを記録する場合に用いられるデータリンクの手法である。【００９８】
具体的にデータ記録エリア１０５ａからデータ記録エリア１０５ｂにデータを追記する場合について説明する。図６に示すように、データ記録エリア１０５ａの最後の記録領域においてデータが記録されたとする。このとき、データはＥＣＣブロック単位で記録されるため、データが記録されなかった記録領域は、所定のデータ（例えば、“０１ｂ“データ等）をパディング（padding）する。そして、次のＥＣＣブロック中に含まれる第１同期フレーム（First Sync Frame）の先頭アドレスより１６バイトのデータ量に相当するデータを記録する。このデータが記録された位置がリンキングポジションとなる。リンキングポジションとは、データの追記が実際に行なわれる（即ち、データの記録が再開される）位置を示す。ここで、データの追記に必要なデータの記録が終了し、記録動作が一旦終了する。即ち、図中End of Recordingの位置で記録が一旦終了する。【００９９】
続いて、データを追記する場合には、第１同期フレームのリンキングポジションに引き続いて、具体的には、第１同期フレームの先頭アドレスより１５バイト目ないし１７バイト目に相当する記録領域からデータの追記を行なう。このとき、データをリンクさせるために、リンキングポジションに引き続き、所定のデータ（例えば、“０１ｂ”データ等）を記録する。この所定のデータを２ＫＢだけ記録するデータリンクの手法を２ＫＢリンクと称し、一方この所定のデータを３２ＫＢだけ記録するデータリンクの手法を３２ＫＢリンクと称する。そして、追記前に最後に記録されたデータの記録位置からこの所定のデータが記録された位置までをリンキングロスエリアと称する。このリンキングロスエリアに続いて、本来データ記録エリア１０５ｂに記録されるべき所望のデータ（例えば、各種コンテンツデータ等）を記録していく。【０１００】
また、既にデータが記録済の記録領域の更に内周側へデータを追記する場合には、図７に示すようなリンクデータを記録する。これは、例えばデータ記録エリア１０５ａにデータを記録した後に、より内周側のリードインエリア１０２に制御情報等を記録する場合に用いられるデータリンクの手法である。【０１０１】
具体的にデータ記録エリア１０５ａからリードインエリア１０２にデータを追記する場合について説明する。図７に示すように、データ記録エリア１０５ａにデータを記録する場合には、予めリンキングロスエリアの一部を作成しておく。即ち、本来データ記録エリア１０５ａに記録されるべきデータの先頭部分にリンキングロスエリアを設け、例えば“０１ｂ”データ等を記録しておく。このデータは、上述のリンキングポジションの手前まで（即ち、第１同期フレームの先頭アドレスから１８バイト目まで）記録される。ここで、データの追記に必要なデータの記録が終了し、データ記録エリア１０５ａに必要な各種データが記録された後、記録動作が一旦終了する。【０１０２】
続いて、リードインエリア１０２にデータを追記する場合には、本来リードインエリア１０２に記録される各種制御情報等に加えて、リンキングポジション等を作成する。即ち、上述したように、第１同期フレームの１５バイトから１７バイトの記録領域にリンキングポジションを作成し、その後、該リンキングポジションにつながるように、リードインエリア１０２において各種制御情報等を記録していく。【０１０３】
更に、図８から図１０に示すように、ボーダーゾーンを設けてデータを追記する場合にも、上述したような記録動作を採ることができる。このときの記録の３つの態様について、図８から図１０を参照して説明する。ここに、図８から図１０は夫々、ボーダーゾーンを用いてデータを追記する記録態様における光ディスクのデータ構造を概念的に示すデータ構造図である。【０１０４】
図８に示すように、Ｌ０層には、リードインエリア１０２及びリードアウトエリア１０８が設けられ、Ｌ１層には、リードインエリア１１２及びリードアウトエリア１１８が設けられている。光ディスク１００ａでは特に、Ｌ０層及びＬ１層の夫々のデータ記録エリア１０５（１１５）中に複数のブロックエリアが存在する。そして、例えば映画データや音声データ等の各種コンテンツデータやそのほか各種データ等は、このブロックエリア単位毎に記録されている。即ち、例えばある映画データがブロックエリアＡに記録され、例えばある音楽データがブロックエリアＢに記録され、例えばあるＰＣ用データがブロックエリアＣに記録される。【０１０５】
このブロックエリアについてより詳細に説明すると、各ブロックエリアは、ボーダーインエリア１０４、データ記録エリア１０５（１１５）、層間緩衝エリア１０６（１１６）、ボーダーアウトエリア１１７を備えている。但し、リードインエリア１０２からみて最初のブロックエリアに相当するブロックエリアＡにおいては、ファイルシステム１０３が管理情報としての機能を果たすため、ボーダーインエリア１０４は設けられていない。即ち、ブロックエリアＡは、データ記録エリア１０５ａ及び１１５ａ、層間緩衝エリア１０６ａ及び１１６ａ、並びにボーダーアウトエリア１１７ａを含んで構成されている。ブロックエリアＢは、ボーダーインエリア１０４ｂ、データ記録エリア１０５ｂ及び１１５ｂ、層間緩衝エリア１０６ｂ及び１１６ｂ、並びにボーダーアウトエリア１１７ｂを含んで構成されている。ブロックエリアＣは、ボーダーインエリア１０４ｃ、データ記録エリア１０５ｃ及び１１５ｃ、層間緩衝エリア１０６ｃ及び１１６ｃ、並びにボーダーアウトエリア１１７ｃを含んで構成されている。【０１０６】
但し、ファイルシステム１０３が記録されているエリアをボーダーインエリア１０４（１１４）としてみなせば、ブロックエリアＡも他のブロックエリアＢ及びＣと異なるものではないといえる。【０１０７】
ボーダーインエリア１０４は、各ブロックエリアに記録されているデータを管理するための管理情報（例えば後述の最新物理フォーマット情報）が記録される領域である。このボーダーインエリア１０４については、後に詳述する（図１１参照）。【０１０８】
層間緩衝エリア１０６（１１６）は、データが記録される対象の記録層が、Ｌ０層からＬ１層へと切り替わる地点において、Ｌ０層及びＬ１層の夫々に設けられる領域である。具体的には、層間緩衝エリア１０６（１１６）には、実際のコンテンツデータ等は記録されず、“００ｈ”データが記録される。層間緩衝エリア１０６（１１６）は、最初のブロックエリアＡにおいては、半径方向において概ね０．５ｍｍ程度の大きさを占め、それ以降のブロックエリア（例えば、ブロックエリアＢやＣ）においては、概ね０．１ｍｍ程度の大きさを占めることが好ましい。但し、この大きさに限られるものでなく、光ピックアップ３５２の突き抜けを防止できる程度の大きさを有していればよい。【０１０９】
尚、ここでの「光ピックアップの突き抜け」とは、例えば光ディスク１００にブロックエリアＡのみが設けられている場合において、データ記録エリア１０５ａをサーチしている際に、そのサーチ対象先が該データ記録エリア１０５ａを飛び越えて、データが未記録の（例えばミラー領域の）エリアに飛び出すことを示す。【０１１０】
ボーダーアウトエリア１１７は、各ブロックエリアにデータを記録する際の記録動作や記録されたデータを再生する際の再生動作を制御するための各種制御情報が記録される領域である。このボーダーアウトエリア１１７については、後に詳述する（図１１参照）。【０１１１】
本実施例では特に、Ｌ１層におけるデータ記録層１１５（ａ〜ｃ）は、対応するＬ０層におけるデータ記録層１０５（ａ〜ｃ）と比較して、その両端が偏心αに相当する大きさだけ小さい。例えば、データ記録層１０５ａが第Ｎ１トラックから第Ｎ２トラックまでの記録領域にデータが記録されていれば、データ記録層１１５ａとして、第Ｎ１＋αトラックから第Ｎ２−αトラックまでデータを記録する。【０１１２】
但し、Ｌ１層にデータを記録する前に、ファイルシステム１０３やボーダーインエリア１０４、層間緩衝エリア１０６或いはそれらのエリアの特にデータ記録エリア１０５との境界付近にデータを記録するように構成すれば、必ずしも偏心αの大きさに相当するマージンを設けなくともよい。例えば、データ記録エリア１１５ａにデータを記録する前に層間緩衝エリア１０６ａに例えば“００ｈ”データを記録するように構成すれば、データ記録エリア１１５ａとして、第Ｎ２トラックまでデータを記録するように構成してもよい。【０１１３】
尚、図８に示す光ディスク１００ａにデータが記録される順としては、先ずＬ０層のデータ記録エリア１０５に所望のデータが記録され、続いてＬ０層の層間緩衝エリア１０６に例えば“００ｈ”データが記録される。続いてＬ１層のデータエリア１１５に所望のデータが記録され、その後、Ｌ１層のボーダーアウトエリア１１７に後述する各種データが記録される。そして、Ｌ０層のリードインエリア１０２及びファイルシステム１０３（或いは、ボーダーインエリア１０４）にデータが記録され、Ｌ１層のリードインエリア１１２にデータが記録され、最後にＬ１層の層間緩衝エリア１１６に例えば“００ｈ”データが記録される。【０１１４】
尚、層間緩衝エリア１１６に所望のコンテンツデータ等を記録するように構成しなければ、即ち、層間緩衝エリア１１６に記録されるデータを読み取る必要がないように構成すれば、当該層間緩衝エリア１１６には、データが記録済みのＬ０層を介して照射されるレーザ光ＬＢによりデータを記録する構成でなくともよい。【０１１５】
また、図９に示すように、Ｌ０層にボーダーインエリア１０４及びボーダーアウトエリア１０７を設け、Ｌ１層に層間緩衝エリア１１６を設けるように構成してもよい。この場合、図９に示す光ディスク１００ｂにデータが記録される順としては、先ずＬ０層のデータ記録エリア１０５に所望のデータが記録され、続いてＬ１層のデータエリア１１５に所望のデータが記録される。続いて、Ｌ０層のボーダーアウトエリア１０７に後述する各種データが記録され、Ｌ０層のリードインエリア１０２及びファイルシステム１０３（或いは、ボーダーインエリア１０４）にデータが記録され、最後にＬ１層の層間緩衝エリア１１６に例えば“００ｈ”データが、データ記録エリア１１５の両端を挟み込むような形で記録される。尚、この光ディスク１００ｂでは、Ｌ０層のボーダーアウトエリア１０７等が、いわば層間緩衝エリア１０６（１１６）としての役割をも果たしている。【０１１６】
また、図１０に示すように、ボーダーインエリア１０４やボーダーアウトエリア１１７を各ブロック毎に２つずつ（即ち、Ｌ０層及びＬ１層の夫々に一つずつ）設けて、層間緩衝エリア１０６（１１６）として機能させるように構成してもよい。この場合、図１０に示す光ディスク１００ｃにデータが記録される順としては、先ずＬ０層のデータ記録エリア１０５に所望のデータが記録され、続いてＬ０層のリードインエリア１０２及びファイルシステム１０３（或いは、ボーダーインエリア１０４）にデータが記録され、続いて、Ｌ０層のボーダーアウトエリア１０７ａに後述する各種データが記録される。その後、Ｌ１層のデータエリア１１５ａに所望のデータが記録され、続いて、Ｌ１層のボーダーアウトエリア１０７ａに後述する各種データが記録され、続いてＬ１層のリードインエリア１１２（或いは、ボーダーインエリア１１４）にデータが記録され、続いて、Ｌ１層のボーダーアウトエリア１１７に後述する各種データが記録される。尚、この光ディスク１００ｂでは、Ｌ０層のボーダーアウトエリア１０７等が、いわば層間緩衝エリア１０６（１１６）としての役割をも果たしている。【０１１７】
尚、図８から図１０において説明した光ディスク１００においては、各エリアの大きさは、図に示すような比率でなくともよいことはいうまでもない。例えば層間緩衝エリア１０６（１１６）は、光ディスク１００の内周から外周方向に向かって概ね７０μｍであることが好ましいし、或いはそれ以外の大きさであってもよい。また、ボーダーアウトエリア１０７（１１７）は、光ディスク１００の内周から外周方向に向かって５００ないし１００μｍであることが好ましいし、或いはそれ以外の大きさであってもよい。また、ボーダーインエリア１０４（１１４）は、光ディスク１００の内周から外周方向に向かって数μｍ程度であってもよいし、或いはそれ以外の大きさであってもよい。【０１１８】
また、本発明は、図８から図１０において説明した記録の態様に限定されない。要は、データが記録済みのＬ０層を介して照射されるレーザ光によりＬ１層にデータを記録することができれば、本発明の範囲に含まれるものである。【０１１９】
続いて、本実施例に係る光ディスクのボーダーインエリア及びボーダーアウトエリアのデータ構造について、図１１を参照してより詳細に説明する。ここに、図１１は、本実施例に係る情報記録装置により作成されるボーダーインエリア及びボーダーアウトエリアのデータ構造をより詳細に説明する図である。【０１２０】
図１１に示すように、所定のデータ記録エリア１０５ｂ（１１５ｂ）を基準として、当該データ記録エリア１０５ｂ（１１５ｂ）が含まれるブロックエリア（即ち、図２におけるブロックエリアＢ）のボーダーインエリア１０４ｂと当該ブロックエリアの一つ前に位置するブロックエリア（即ち、ブロックエリアＡ）のボーダーアウトエリア１１７ａとが組となって、一つのボーダーゾーンを形成する。【０１２１】
ボーダーインエリア１０４ｂには、最新物理フォーマット情報（updated physical format information）が記録されている。この最新物理フォーマット情報は、リードインエリア１０２中に記録されており、且つデータ記録エリア１０５（１１５）中におけるデータの分布情報（例えば、マッピング情報等）を示す情報である。そして、最新物理フォーマット情報は、５ＥＣＣブロックに相当する大きさを有している。但し、この大きさに限定されるものではない。【０１２２】
ボーダーアウトエリア１１７ａは、夫々同一の大きさを有する第１ボーダーアウトエリア１１７ａ−１及び第２ボーダーアウトエリア１１７ａ−２を有している。第１ボーダーアウトエリア１１７ａ−１には、ＲＭＤコピーとストップブロックが記録されている。【０１２３】
ＲＭＤコピーは、データの記録を制御する情報であって、且つリードインエリア１０２内に記録されているＲＭＤ（Recording Management Data）と同一の情報を含んでいる。このＲＭＤコピーは、例えばＤＶＤ−Ｒのリードインエリア１０２内のＲＯＭエリアを読めないＤＶＤ−ＲＯＭ専用ドライブに対して、ブロックエリアに記録された各種データを再生するための情報（即ち、ＲＭＤ）を提供することが可能である。【０１２４】
ストップブロックは、例えば２ＥＣＣブロックのサイズを有するフラグ情報を含んでおり、当該ボーダーアウトエリア１１７ａ以降にデータが記録されているか否かを示す。即ち、光ディスク１００に記録されたデータを再生する情報再生装置が、当該ストップブロックによりデータが記録されていないと判断したら、それ以降のエリアは読み取らない。【０１２５】
ボーダーアウトエリア１１７ａ−２には、ネクストボーダーマーカーが記録されている。例えば２ＥＣＣブロックのサイズのデータが、３つ記録されることで、このネクストボーダーマーカーが示される。そして、ネクストボーダーマーカーは、光ディスク１００にデータを記録する情報記録装置により用いられる情報である。具体的には、当該ボーダーアウトエリア１１７ａに続いて更にデータが記録されている場合に、所定のデータ（例えば、“００ｈ”）をネクストボーダーマーカーとして記録する。他方、当該ボーダーアウトエリア１１７ａに続いて更にデータが記録されていない場合、ボーダーアウトエリア１１７ａ−２はミラー状態（即ち、未記録状態）となっている。【０１２６】
以上説明したように、本発明の情報記録装置に係る実施例によれば、Ｌ１層にデータを記録する際には、データが記録済のＬ０層を介してレーザ光を照射することができる。言い換えれば、データが記録済のＬ０層を介して照射されるレーザ光によりＬ１層にデータを記録することができる。このため、データが記録済のＬ０層を介してＬ１層にデータを記録する場合における最適な記録レーザパワーにて、Ｌ１層のいずれの記録領域にも適切な記録を行なうことができる。従って、光ディスクの全面或いは概ね全面に渡って、良好な記録特性を得ることができるという大きな利点を有する。【０１２７】
（３）第２動作例
続いて、図１２から図１４を参照して、本実施例に係る情報記録装置３００による記録動作の第２の態様について説明する。ここに、図１２は、本実施例に係る情報記録装置３００により光ディスク１００にデータが記録される態様を概念的に示すデータ構造図である。尚、第２動作例では、オポジットトラックパス方式の光ディスクにデータを記録する態様について説明する。【０１２８】
図１２に示すように、本実施例に係る情報記録装置３００の動作により、まずＬ０層のある記録領域にデータが記録される。即ち、図１２中の（１）と示されている記録領域であるデータ記録エリア１０５ａにデータが記録される。【０１２９】
その後、Ｌ１層にデータが記録される場合には、上述した第１動作例と同様に、データが記録済であるＬ０層の記録領域に対応するＬ１層の記録領域にデータが記録される。より具体的に説明すると、Ｌ０層において、第Ｎ１トラックから第Ｎ２トラックまでのデータ記録エリア１０５ａにデータが記録されているとする。そして、光ディスク１００の偏心がαであるとする。このとき、Ｌ１層においては、ＣＰＵ３５４の制御の下に、第Ｎ１＋αトラックから第Ｎ２−αトラックまでの記録領域において、外周側から内周側に向かってデータが記録される。【０１３０】
その後、再びＬ０層にデータが記録される場合には、データ記録エリア１０５ａに記録されているデータに引き続いてデータが記録される。具体的には、第Ｎ２トラックから第Ｎ３トラックまでのデータ記録エリア１０５ｂにデータが記録される。【０１３１】
続いて、Ｌ１層にデータが記録される場合には、データ記録エリア１１５ａに記録されているデータに引き続いてデータが記録される。具体的には、第Ｎ２−αトラックから第Ｎ３−αトラックまでのデータ記録エリア１１５ｂにおいて、外周側から内周側に向かってデータが記録される。【０１３２】
そして、最後にリードインエリア１０２、リードアウトエリア１１８、並びにミドルエリア１０９及び１１９に、データの記録或いは再生を制御するための所定の制御情報やダミーデータ等が記録される。この場合も、Ｌ０層のリードインエリア１０２に制御情報等を記録した後に、制御情報等が記録されたＬ０層に対応するＬ１層のリードアウトエリア１１８に制御情報等を記録する。また、Ｌ０層のミドルエリア１０９に制御情報等を記録した後に、制御情報等が記録されたＬ０層に対応するＬ１層のミドルエリア１１９に制御情報等を記録する。【０１３３】
このように、オポジットトラックパス方式の光ディスク１００ｄにおいても、上述したパラレルトラックパス方式の光ディスク１００と同様に、データが記録済のＬ０層を介して照射されるレーザ光により、Ｌ１層にデータを記録することができる。従って、第２動作例においても、上述した第１動作例が有する各種利益を享受することができる。【０１３４】
また、オポジットトラックパス方式の光ディスクにおいても、ボーダーゾーンを設けてデータを追記する場合に、上述したような記録動作を採ることができる。このときの記録の態様について、図１３及び図１４を参照して説明する。ここに、図１３及び図１４は夫々、ボーダーゾーンを用いてデータを追記する記録態様における光ディスクのデータ構造を概念的に示すデータ構造図である。【０１３５】
図１３に示すように、Ｌ０層には、リードインエリア１０２及びミドルエリア１０９が設けられ、Ｌ１層には、リードアウトエリア１１８及びミドルエリア１１９が設けられている。光ディスク１００ｃでは特に、Ｌ０層及びＬ１層の夫々のデータ記録エリア１０５（１１５）中に複数のブロックエリアが存在する。【０１３６】
そして、複数のブロックエリアが設けられる光ディスク１００ｅにおいても、上述した第１動作例と同様に、偏心αを考慮してＬ１層にデータを記録する。これにより、上述した第１動作例における各種利益を享受することが可能となる。【０１３７】
また、図１４に示すように、Ｌ０層の層間緩衝エリア１０６ａ（ｂ、ｃ）とＬ１層の層間緩衝エリア１１６ａ（ｂ、ｃ）との夫々の終端部を偏心αに相当する大きさだけずらすように構成してもよい。このように構成すれば、Ｌ１層の層間緩衝エリア１１６ａ（ｂ、ｃ）を記録する際にも、必ずデータが記録済のＬ０層を介してレーザ光ＬＢを照射することができる。従って、図１３における構成と比較して、Ｌ１層の層間緩衝エリア１１６ａ（ｂ、ｃ）を小さくすることができ、それに伴って大きくなるＬ１層のデータ記録エリア１１５ａ（ｂ、ｃ））を有効に利用することができる。【０１３８】
尚、上述の実施例では２層型の光ディスク１００を具体例に説明を進めたが、２層型の光ディスクに限らず、３層以上の記録層を有する多層型の光ディスクであっても、同様の構成を採ることで、上述した各種利益を享受することができる。【０１３９】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１４０】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、並びに、記録制御用のコンピュータプログラムもまた本発明の技術的範囲に含まれるものである。
【産業上の利用可能性】
【０１４１】
本発明に係る情報記録媒体、情報記録装置及び方法、並びにコンピュータプログラムは、例えば、ＤＶＤ等の情報記録媒体、ＤＶＤレコーダ等の情報記録装置及び方法に利用可能である。また、例えば民生用或いは業務用の各種コンピュータ機器に搭載される又は各種コンピュータ機器に接続可能な情報記録装置等にも利用可能である。
【図１】
0004475428.tif 000002
【図２】
0004475428.tif 000003
【図３】
0004475428.tif 000004
【図４】
0004475428.tif 000005
【図５】
0004475428.tif 000006
【図６】
0004475428.tif 000007
【図７】
0004475428.tif 000008
【図８】
0004475428.tif 000009
【図９】
0004475428.tif 000010
【図１０】
0004475428.tif 000011
【図１１】
0004475428.tif 000012
【図１２】
0004475428.tif 000013
【図１３】
0004475428.tif 000014
【図１４】
0004475428.tif 000015